【手続補正書】
【提出日】平成29年12月29日(2017.12.29)
【手続補正１】
【補正対象書類名】特許請求の範囲
【補正対象項目名】全文
【補正方法】変更
【補正の内容】
【特許請求の範囲】
【請求項１】
入賞領域を備えた遊技機であって、
前記入賞領域にて遊技媒体を検出するための検出手段と、
前記検出手段が遊技媒体を検出した時点から監視期間を経過するまでに該検出手段が遊技媒体を再度検出した回数を計数する計数手段と、
前記計数手段が計数した回数が所定回数となった場合に、エラーが発生したと判定する回数エラー判定手段と、
前記検出手段が遊技媒体を検出している状態が、予め定められた期間継続する度に、連続検出エラーが発生したと判定する連続検出エラー判定手段とを備え、
前記回数エラー判定手段によってエラーが発生したと判定されたときと、前記連続検出エラー判定手段によって連続検出エラーが発生したと判定されたときとで共通の出力端子からエラー情報が出力され、
前記連続検出エラー判定手段によって連続検出エラーが発生したと判定される度に、前記出力端子からエラー情報が出力される
ことを特徴とする遊技機。
【手続補正２】
【補正対象書類名】明細書
【補正対象項目名】００１０
【補正方法】変更
【補正の内容】
【００１０】
（手段Ａ）本発明による遊技機は、入賞領域を備えた遊技機であって、前記入賞領域にて遊技媒体を検出するための検出手段と、前記検出手段が遊技媒体を検出した時点から監視期間を経過するまでに該検出手段が遊技媒体を再度検出した回数を計数する計数手段と、前記計数手段が計数した回数が所定回数となった場合に、エラーが発生したと判定する回数エラー判定手段と、前記検出手段が遊技媒体を検出している状態が、予め定められた期間継続する度に、連続検出エラーが発生したと判定する連続検出エラー判定手段とを備え、前記回数エラー判定手段によってエラーが発生したと判定されたときと、前記連続検出エラー判定手段によって連続検出エラーが発生したと判定されたときとで共通の出力端子からエラー情報が出力され、前記連続検出エラー判定手段によって連続検出エラーが発生したと判定される度に、前記出力端子からエラー情報が出力されることを特徴とする。
（手段Ｂ）本発明による他の遊技機は、第１入賞領域（例えば、始動入賞口や大入賞口、入賞口、ゲート３２）と第２入賞領域（例えば、始動入賞口や大入賞口、入賞口、ゲート３２）とを備えた遊技機であって、第１入賞領域に設けられ第１入賞領域を遊技媒体が通過したことを検出するための第１検出手段（例えば、始動口スイッチ１４ａやカウントスイッチ２３、入賞口スイッチ２９ａ，３０ａ、ゲートスイッチ３２ａ）と、第２入賞領域に設けられ第２入賞領域を遊技媒体が通過したことを検出するための第２検出手段（例えば、始動口スイッチ１４ａやカウントスイッチ２３、入賞口スイッチ２９ａ，３０ａ、ゲートスイッチ３２ａ）と、第１検出手段が遊技媒体の通過を検出した時点から第１監視期間（図１５に示す監視期間）を経過するまでに該第１検出手段が遊技媒体の通過を再度検出した回数を計数する第１計数手段（例えば、ＣＰＵ５６によって始動口スイッチ判定処理（ステップＳ２５９ａ）のステップＳ２５０７，Ｓ２５０８の処理が実行される部分）と、第２検出手段が遊技媒体の通過を検出した時点から第２監視期間（図１５に示す監視期間）を経過するまでに該第２検出手段が遊技媒体の通過を再度検出した回数を計数する第２計数手段（例えば、ＣＰＵ５６によって入賞口スイッチ判定処理（ステップＳ２５９ｂ）において始動口スイッチ判定処理（ステップＳ２５９ａ）のステップＳ２５０７，Ｓ２５０８に相当する処理が実行され部分）と、第１計数手段が計数した回数が所定回数となった場合に、エラーが発生したと判定する第１エラー判定手段（例えば、ＣＰＵ５６によって始動口スイッチ判定処理（ステップＳ２５９ａ）のステップＳ２５１１，Ｓ２５１２の処理が実行される部分）と、第２計数手段が計数した回数が所定回数となった場合に、エラーが発生したと判定する第２エラー判定手段（例えば、ＣＰＵ５６によって入賞口スイッチ判定処理（ステップＳ２５９ｂ）において始動口スイッチ判定処理（ステップＳ２５９ａ）のステップＳ２５１１，Ｓ２５１２に相当する処理が実行される部分）と、第１エラー判定手段と第２エラー判定手段との少なくともいずれかによってエラーが発生したと判定された場合に、所定のエラー情報（セキュリティ信号）を出力するエラー情報出力手段（例えば、ＣＰＵ５６によって情報出力処理のステップＳ１００４〜Ｓ１０１５の処理が実行される部分）とを備え、エラー情報出力手段は、第１エラー判定手段と第２エラー判定手段とのいずれによってエラーが発生したと判定されたかに関わらず、共通の出力手段（例えば、ターミナル基板１６０に設けられたコネクタＣＮ８）を用いて所定の出力期間（例えば、０．２秒）にわたってエラー情報を出力し、第１エラー判定手段の判定にもとづいてエラー情報を出力している出力期間内に第２エラー判定手段によってエラーが発生したと判定された場合には、該出力期間が経過し、さらに所定の待機期間が経過した後に共通の出力手段を用いて所定の出力期間にわたってエラー情報を出力し（例えば、ＣＰＵ５６によって情報出力処理のステップＳ１００４〜Ｓ１０１５の処理が実行される部分）、第１計数手段は、計数した回数が所定回数となったことにもとづいて第１エラー判定手段によってエラーが発生したと判定された場合には、計数した回数を初期化し（例えば、ＣＰＵ５６によってステップＳ２５１３の処理が実行される部分）、第２計数手段は、第１計数手段による初期化の際に、計数した回数を初期化せず、第１検出手段が遊技媒体の通過を検出している状態が所定期間継続する度に、連続検出エラーが発生したと判定する第１連続検出エラー判定手段と、第２検出手段が遊技媒体の通過を検出している状態が所定期間継続する度に、連続検出エラーが発生したと判定する第２連続検出エラー判定手段と、第１連続検出エラー判定手段または第２連続検出エラー判定手段によって連続検出エラーが発生したと判定される度に、共通の出力手段を用いて特定期間にわたって連続検出エラー情報を出力する連続検出エラー情報出力手段とをさらに備えたことを特徴とする。
そのような構成により、エラー情報を出力しているときに新たにエラーが発生した場合にも、新たにエラーが発生したことにもとづくエラー情報を共通の出力手段を用いて出力することができる。
（手段１）本発明による他の遊技機は、第１入賞領域（例えば、始動入賞口や大入賞口、入賞口、ゲート３２）と第２入賞領域（例えば、始動入賞口や大入賞口、入賞口、ゲート３２）とを備えた遊技機であって、第１入賞領域に設けられ第１入賞領域を遊技媒体が通過したことを検出するための第１検出手段（例えば、始動口スイッチ１４ａやカウントスイッチ２３、入賞口スイッチ２９ａ，３０ａ、ゲートスイッチ３２ａ）と、第２入賞領域に設けられ第２入賞領域を遊技媒体が通過したことを検出するための第２検出手段（例えば、始動口スイッチ１４ａやカウントスイッチ２３、入賞口スイッチ２９ａ，３０ａ、ゲートスイッチ３２ａ）と、第１検出手段が遊技媒体の通過を検出した時点から第１監視期間（図１５に示す監視期間）を経過するまでに該第１検出手段が遊技媒体の通過を再度検出した回数を計数する第１計数手段（例えば、ＣＰＵ５６によって始動口スイッチ判定処理（ステップＳ２５９ａ）のステップＳ２５０７，Ｓ２５０８の処理が実行される部分）と、第２検出手段が遊技媒体の通過を検出した時点から第２監視期間（図１５に示す監視期間）を経過するまでに該第２検出手段が遊技媒体の通過を再度検出した回数を計数する第２計数手段（例えば、ＣＰＵ５６によって入賞口スイッチ判定処理（ステップＳ２５９ｂ）において始動口スイッチ判定処理（ステップＳ２５９ａ）のステップＳ２５０７，Ｓ２５０８に相当する処理が実行され部分）と、第１計数手段が計数した回数にもとづいて、エラーが発生したと判定する第１エラー判定手段（例えば、ＣＰＵ５６によって始動口スイッチ判定処理（ステップＳ２５９ａ）のステップＳ２５１１，Ｓ２５１２の処理が実行される部分）と、第２計数手段が計数した回数にもとづいて、エラーが発生したと判定する第２エラー判定手段（例えば、ＣＰＵ５６によって入賞口スイッチ判定処理（ステップＳ２５９ｂ）において始動口スイッチ判定処理（ステップＳ２５９ａ）のステップＳ２５１１，Ｓ２５１２に相当する処理が実行される部分）と、第１エラー判定手段と第２エラー判定手段との少なくともいずれかによってエラーが発生したと判定された場合に、エラー情報（セキュリティ信号）を出力するエラー情報出力手段（例えば、ＣＰＵ５６によって情報出力処理のステップＳ１００４〜Ｓ１０１５の処理が実行される部分）とを備え、エラー情報出力手段は、第１エラー判定手段と第２エラー判定手段とのいずれによってエラーが発生したと判定されたかに関わらず、共通の出力手段（例えば、ターミナル基板１６０に設けられたコネクタＣＮ８）を用いてエラー情報を出力し、第１検出手段が遊技媒体の通過を検出している状態が、第１検出手段の連続検出エラー判定を行うために予め定められた期間継続する度に、連続検出エラーが発生したと判定する第１連続検出エラー判定手段と、第２検出手段が遊技媒体の通過を検出している状態が、第２検出手段の連続検出エラー判定を行うために予め定められた期間継続する度に、連続検出エラーが発生したと判定する第２連続検出エラー判定手段と、第１連続検出エラー判定手段と第２連続検出エラー判定手段とのいずれかによって連続検出エラーが発生したと判定される度に、共通の出力手段を用いてエラー情報を出力する連続検出エラー情報出力手段とをさらに備えたことを特徴とする。
そのような構成により、有用なエラー情報を共通の出力手段を用いて出力することができる。
【手続補正３】
【補正対象書類名】明細書
【補正対象項目名】０１９７
【補正方法】変更
【補正の内容】
【０１９７】
また、異常入賞を検出したことや電波異常を検出したこと、初期化処理が実行されたことにもとづいてセキュリティ信号の出力を開始した後、まだセキュリティ信号の出力中であるときに磁気異常を検出した場合には、異常入賞の検出や電波異常の検出、初期化処理の実行にもとづくセキュリティ信号の出力制御から磁気異常にもとづくセキュリティ信号の出力制御に切り替えられる。具体的には、異常入賞の検出や電波異常の検出、初期化処理の実行にもとづいてセキュリティ信号情報タイマがセットされていることによりステップＳ１００４〜Ｓ１０１３の処理が実行されてセキュリティ信号が外部出力されているときに、磁気異常が検出されると、センサエラー判定処理において磁気異常フラグがセットされる（ステップＳ２６０，Ｓ２６１参照）。そして、それ以降は、磁気異常フラグがセットされていることによりステップＳ１００１〜Ｓ１００３の処理に切り替わり、セキュリティ信号情報タイマはクリアされて（ステップＳ１００２参照）、初期化処理で磁気異常フラグがリセットされるまで、磁気異常フラグがセットされていることにもとづいてセキュリティ信号が外部出力される（ステップＳ１００３参照）。なお、磁気異常を検出した場合にも異常入賞や電波異常の検出をした場合と同様に、所定期間だけセキュリティ信号を出力するようにしてもよいし、他のエラー判定にもとづくセキュリティ信号の出力期間が行われている場合には、出力期間が経過しさらに待機期間が経過した後にセキュリティ信号を出力するようにしてもよい。